(57)【要約】      （修正有）【課題】化石燃料やウランを使用して行う火力発電を削減し、地球の持つ自然エネルギーの中から、電力を生産する。【解決手段】雨水は集水し、貯水槽に貯水すると、貯水槽から放水する際に大きなエネルギーをだす。雨水を貯水槽に貯水し、雨水をエネルギー源として活用するための集水型戸樋。また、降雨中集水戸樋から直接水平回転装置へ雨水を集中させ、降雨中連続して電力を生産する事も可能である。【選択図】図−２
0003130590.tif 000002
【実用新案登録請求の範囲】
【請求項１】
雨水を貯水槽図−２−３へ導くための集水戸樋の上部に岐路図−２−２を組み込み．貯水槽に雨水を貯える戸樋の構造。（図面．図−２）
【請求項２】
貯水槽に貯えた雨水の放水圧力を直接動力源として活用するための水平回転装置（図面．図−４．参照）の構造。
【考案の詳細な説明】
【考案の詳細な説明】
【技術分野】    自然エネルギーの活用。
【従来の技術分野】
従来降雨は直接活用はされず戸樋を通してすべて側溝水路へ放出されている。倉庫工場等の大面積屋根への降雨雨水は、エネルギー源として使用されていない
【考案が解決しようとする課題】
自然のもたらすエネルギーの一つである雨降雨から、直接エネルギーを享受する。
【課題を解決するための手段】
従来直接放水されていた雨水の、放水用戸樋図−１．を集水用戸樋図−２．に変更し，貯水槽へ集水、貯水し、貯水槽からの放水圧力を本考案の水平回転装置へ活用し、水平回転装置の規模に応じた電力の生産を行い、更にその後、水平回転装置からの排水は地下貯水槽へ蓄える事も可能である。従来雨は山間部大型ダムで貯水され飲料水に水力発電にと使用されてきたが、今や雨は都市部においても集水貯水し使用すべきであり、水力発電も電力需要地での多様局所発電へと、電力視野を方向転換する。電力需要地において、雨水の活用率を高揚するためには、雨水の集水場所と集水条件貯水条件の整った場所として高架道路の路面上の降雨も活用でき、高速道路の高架下は排水戸樋も既に完備されてあり、集水戸樋への改造も比較的に容易である。貯水槽の設置場所にも恵まれている。
Ｈ．１３年電気事業法の改正により電力生産販売は自由化されたが、高価な化石燃料や水素を消費する発電ではなく、自然の恵み雨を見直し、雨水を活用する。
【考案の効果】
大型ビル．大型倉庫など屋根面積の大きい建物の間近な（外壁面等）に貯水槽を設置し．貯水槽に貯えた雨水の放出水圧で水平回転装置を回転させ、貯水槽の下部又は間近の位置で電力を生産し供給することができる。
【図面の簡単な説明】図−１．は．従来の放水用戸樋のイメージ図。
図−２．は．本考案の集水型戸樋設置正面イメージ図である。
図−３．は．貯水槽設置正面イメージ図である。
図−４．は．水平回転装置全体概略斜視図（フリーハンド）である。
図−５．は．水平回転装置中央部Ｂ−Ｂ断面図である。
図−６．は．水平回転装置の上視平面図である。
【符号の説明】
図−１の  １．は従来の放水用戸樋の放水用戸樋放水用縦管。
図−２の．２．は集水型戸樋の岐路配管岐路部分。
３．は屋外壁面に添って設置の貯水槽正面イメージ図。
４．は貯水槽から水平回転装置への貯水排出管排出口。
５．はフィルター点検用安全枠付きタラップ。
６．は雨水フィルター。ＳＵＳ−１０メッシュ取替え網。
図−４、図−５の  ７．は水平回転装置全体を支えるフレーム。
８．は貯水槽より放出された雨水を受けるプロペラ羽根。
９．はプロペラーの一軸へ動力を伝えるロッド。
１０．はプロペラーカバー兼排水ガイド戸樋。
１１．は．水平回転装置排水管（ドレン管）。
１２．は．水平回転装置のプロペラ回転軸。
１３．は．軸受け−１
１４．は．軸受け−２
１５．は．軸受け−３
１６．は．軸受け−４
１７．は．水漏れ止めシール。
１８．は回転力取り出し角軸。
１９．は．ピロー  軸受け固定器。
水平回転装置（図−４）の運転において最大の問題点は、貯水槽（図−２−３）から放出する水量に対し，回転装置のプロペラー羽根部分（図−５−８）の水受け部分は，放出水力を可能な限り大きく受け止め、受け止めた力を大きく回転軸（図−５−１２）へ伝えた後の水は出来得る限り速やかにプロペラー面（図−５−８）から放出されなければならない。そのためにプロペラーの水受け面の凹み部分（図−５−８）の最外周部に、水が回転装置の遠心力によりプロペラー外へ放出し易くするための穴をあけ．プロペラー枚数の内の１枚が水の出力を受けた位置から回転方向へ９０°から〜１２０°回るまでの間に水を放出終了し、プロペラーの水受け凹み部分（図−５−８）への残水による負荷を軽減し水平回転を円滑にする。水平回転装置の規模は半径１．５メートル程度のプロペラーとし，プロペラーに対し放出水量は毎秒２リットル低度の規模を標準とし、下記比率で比較する。貯水槽の容量増大による水圧／排水速度の変動比率は現状．未算出。下記比較表は現時点においては１パターン。規模増減は可能。
0003130590.tif 000003
【図−１】
0003130590.tif 000004
【図−２】
0003130590.tif 000005
【図−３】
0003130590.tif 000006
【図−４】
0003130590.tif 000007
【図−５】
0003130590.tif 000008
【図−６】
0003130590.tif 000009
【手続補正書】
【提出日】平成17年7月19日(2005.7.19)
【手続補正１】
【補正対象書類名】実用新案登録請求の範囲
【補正の内容】
0003130590.tif 000010
0003130590.tif 000011
0003130590.tif 000012
【手続補正書】
【提出日】平成17年10月24日(2005.10.24)
【手続補正１】
【補正対象書類名】実用新案登録請求の範囲
【補正対象項目名】全文
【補正方法】変更
【補正の内容】
【実用新案登録請求の範囲】
【請求項１】
自然の中から自然エネルギー源として雨水を採取活用し電力を生産するにおいて工場．倉庫．等の大型建造物の屋根に降る雨水を集水戸樋数本を集合し集水して雨水量を多くまとめ一本の集中戸樋に雨水を集中させ集中した雨水を集中戸樋の排出口から水平回転装置へ投入させ水平回転装置のプロペラー部分へ集中し雨水の落下重力でプロペラーを水平方向に回転させる為の仕組みが上記水平回転装置なるものであり、水平回転装置の構造はプロペラーを水平上向きに固定しプロペラーを水平方向に回転させた後の用済みの雨水が飛散もしくは流れ放題とならない様に使用後雨水の流れを整える整流水路槽とプロペラーのカバーとを兼ね備えた整流水路槽を一体のフレーム枠内に固定してプロペラーの回転軸に電力を生産するための発電機を接続し発電機を回転させる動力源に雨水を活用する  １集水戸樋．２集中戸樋．３．水平回転装置本体からなる一連の仕組みにより電力を生産しようとするにおいて雨水を活かして使用する雨水活用において集水型戸樋にて雨水を集水し活用する電力を生産するための水平回転装置である。
【手続補正２】
【補正対象書類名】明細書
【補正対象項目名】全文
【補正方法】変更
【補正の内容】
【考案の詳細な説明】
【技術分野】
【０００１】本考案は火力発電に使用している化石燃料の使用量削減対策として自然エネルギー源の一つである雨水を採取活用し小規模な電力を生産する水平に設置したプロペラー状の装置、雨水を動力源とする水平回転装置の構造及び仕組みである。
【背景技術】
【０００２】  現在国内の電力生産方法における問題点と課題。
１．火力発電は化石燃料を大量に消費し、大気を汚染し地球環境を悪化させながら電力を生産している。環境保全上化石燃料使用量の削減対策が必要である。
２．自然エネルギー活用の先駆者太陽光発電は雨天時曇天時は稼働しない。
３．原子力発電や風力発電はここでは問題とせず化石燃料の使用量削減を課題とする。
４．現在雨水は降雨時に直接動力源としては活用されていない、活用すべきである。
【問題点解決の手段】
【０００３】化石燃料使用の火力発電量削減の一助に、集水し集中させた雨水を活用水平回転装置を稼働させる。  自然エネルギー源の一つである雨水を集水型戸樋にて集水し、集水した雨水を一本の集中戸樋縦直管に集中させ、集中して増量した雨水を水平回転装置へ投入し、水平回転装置のプロペラーを作動させ、プロペラーを水平方向に回転稼働させた水平回転装置の軸端部分に市販の発電機を接続し電力を生産する。
【考案実施の効果】
【０００４】集水し集中した雨水の落下重力には引力の加速力も加わっている。引力は引力そのもので直接回転の動力源にする事は不可能であるが、落下し続ける何らかの物体が有るとき引力はその落下し続ける物体に加速力を与え落下力を大きくする。
雨水を集水集中し活用することにより水平回転装置の稼働による電力の生産が得られ、また雨水を地上貯水槽に大量に貯水し、貯水槽に貯水された雨水は、貯水槽から必要雨水量を調整放水することにより、雨水の活用効果はさらに高まり、水平回転装置による雨水から電力へのエネルギー転換工程の平準化運転を可能にする。
【考案を実施するための最良の形態】
【０００５】本考案水平回転装置の回転軸に接続した市販の発電機の規模能力に応じた電力の生産を実施し、現行化石燃料（石油．石炭．ＬＮＧ）使用の火力発電を極力削減し、火力発電削減分に充当すべく発電量（ｋｗ／ｈ）は、小規模発電（５〜１０  ｋｗ／ｈ）を１カ所最小単位より始め、きめ細かく設置箇所を普及し、１箇所１基当たりの装置能力を技術改善し水平回転装置の能力を進化促進して行くことにより、さらに効率の良い発電技術（自然エネルギーの電力への転換技術）及び効果が得られる。
【産業上の利用可能性】
【０００６】集水した雨水を貯水槽への貯水はさらに雨水の活用効果を高めると共にこの装置の長時間稼働を可能にする。大量降雨時には地上貯水槽に貯水し、晴天時曇天時に大型貯水槽から放水量調整放水により、水平回転装置の平準化運転を可能にし、水平回転装置と雨水の貯水槽は相乗効果をあらわし水平回転装置の設置効果をたかめる。水平回転装置は太陽光発電．風力発電に次ぐ第三の自然エネルギー源の一つである雨水の採取装置とその活用装置の開発考案であり雨水の効果的な活用により、化石燃料使用による火力発電を削減し、石油の輸入量を極力削減して国の財政に貢献し、大きくは地球温暖化の進行を食い止め、我らの地球の大気と環境を守るささやかな手助けとなり美しい地球を世界中の人々の子孫へ引き継いでゆく方策の一助とし下記の効果がある。
１．この考案水平回転装置使用により雨水を活用する小規模発電装置は大型倉庫など電力需要地近辺に設置出来る事が特徴であり送電ロスは少ない。
２．雨水活用水平回転装置は環境を汚染しない。
３．雨水を活用した水平回転装置は集水する建物の平米数屋根面積により装置の規模は自由に変更が可能であり設置スペースにより装置規模拡大も可能である。
４．水平回転装置一基あたりの発電量は少ないが設置数を増やし設置可能場所に数多く設置する事により発電量の増加は可能である。
５．水平回転装置使用雨水活用発電により生産された電力相当分化石燃料使用量を削減することができる。
６．水平回転装置使用による電力の生産には代替エネルギーを必要としない。
７．水平回転装置の設置可能場所は大屋根を有する大型建造物の周辺に限らず、山地山間部の小規模流水の有する場所へ分解搬入組み立て可能な装置セットである。
【図面の簡単な説明】
【０００７】
【図１】  従来型放水専用戸樋垂直正面図
【図２】  雨水集水型戸樋垂直正面図
【図３】  雨水集水型戸樋貯水槽水平回転装置関連垂直正面図
【図４】  水平回転装置全体斜視図
【図５】  水平回転装置平面中心部Ｂ−Ｂ断面
【図６】  水平回転装置平面図
【符号の説明】
【０００８】  １．従来型放水専用戸樋の排水用縦管
２．雨水集水型戸樋垂直正面集水戸樋管
３．貯水槽設置正面
４．集中戸樋縦垂直管水平回転装置への配管．及び貯水槽への配管
５．貯水槽メンテナンス用安全枠付きモンキータラップ
６．雨水集水型戸樋から水平回転装置及び貯水槽への垂直管フィルター
７．水平回転装置本体フレーム
８．水平回転装置内プロペラー羽根
９．水平回転装置内プロペラーアーム
１０．水平回転装置内排水の整流水路槽兼プロペラー部分のカバー
１１．水平回転装置内排水槽からのドレーン及び地下貯水槽への配管
１２．水平回転装置回転軸
１３．水平回転装置最上段軸受け
１４．水平回転装置中間軸受け
１５．水平回転装置下段軸受け
１６．水平回転装置軸底部軸受け
１７．水平回転装置オイルシール
１８．軸回転力取り出し角軸
１９．フレーム上部の軸受けピローブロック
２０．フレーム下部の軸受けピローブロック
【手続補正３】
【補正対象書類名】図面
【補正対象項目名】全図
【補正の内容】
【図１】
0003130590.tif 000013
【図２】
0003130590.tif 000014
【図３】
0003130590.tif 000015
【図４】
0003130590.tif 000016
【図５】
0003130590.tif 000017
【図６】
0003130590.tif 000018
【手続補正書】
【提出日】平成18年3月3日(2006.3.3)
【手続補正１】
【補正対象書類名】実用新案登録請求の範囲
【補正対象項目名】全文
【補正方法】変更
【補正の内容】
【実用新案登録請求の範囲】
【請求項１】
名称  雨水集水型戸樋  及び  水平回転装置
（１）雨水を  既設建造物の屋根戸樋  又は  高架道路面の雨水排水用戸樋を活用し、既設屋根戸樋の排水用縦管、又は高架道路面の  雨水排水用戸樋管の一部にエルボを組み込み、既設戸樋の  排水用縦管複数本を  集水用縦戸樋管として復数本を集合し、一本の縦戸樋管へ雨水を集中集合させ  雨水量を多くまとめ活用する。
（２）前記集水戸樋で  一本の集中戸樋縦管に雨水を集中し  集合させ  増量した雨水は、集中戸樋縦管の排出口から  落下重力も増加して排出される。
（３）前記  集水し集中させて増量した雨水を  本案  雨水集水型戸樋  及び水平回転装置の、水平上向きに固定されたプロペラー部分へ投入し、水平回転装置のプロペラー部分を  雨水の落下重力で  水平方向に回転させる。
（４）前記プロペラーを回転させた後の  用済みの雨水が  飛散  もしくは流れ放題とならない様に  使用後雨水の流れを整える整流水路槽は、プロペラーのカバーをも兼ね備えて装備し、使用後雨水の  流れ方を定めるものである。
（５）水平回転装置のフレーム枠体は、前記（３）水平上向きに固定されたプロペラーと、前記（４）整流水路槽とを固定する（５）フレーム枠体  と  からなる、前記プロペラーの回転軸に  市販の発電機を接続し  発電機を回転させて、電力を生産する［水平回転装置］の回転動力源として雨水を集水し  活用しようとする装置が［雨水  集水型戸樋  及び  水平回転装置］なるものである。
【手続補正書】
【提出日】平成18年7月6日(2006.7.6)
【手続補正１】
【補正対象書類名】実用新案登録請求の範囲
【補正対象項目名】全文
【補正方法】変更
【補正の内容】
【実用新案登録請求の範囲】
【請求項１】
既設建造物の屋根に降った雨水を、排水する為に設置されている既設の雨戸樋を活用し、既設雨戸樋の排水用雨戸樋の縦管にエルボーを組み込み、既設戸樋の排水用縦管複数本を集水用縦戸樋管として活用、雨水を集水し、一本の大径なる集中用戸樋管へ雨水を集中し雨水を集合させ雨水量を多くまとめ活用する
前記集水戸樋で一本の集中用戸樋管に雨水を集中し集合させ増量した雨水を集中戸樋管の排出口へ、集合し増加増量した雨水の放出力を雨水エネルギーとして活用する目的で設備するものであり、前記集水し集中させて増加した雨水を本案水平回転装置の水平上向きに固定されたプロペラー羽根部分へ投入する、プロペラーの回転軸は、フレーム枠体に垂直に固定した軸受け部分で水平方向に回転する様に装備したプロペラーの羽根部分であり水平回転装置のプロペラーを雨水の落下力で水平方向に回転させる
前記、プロペラーを回転させた後の用済みの雨水が、飛散もしくは流れ放題とならない様に、使用後雨水の流れを整える整流水路槽はプロペラーのカバーをも兼ね備えて装備されたものであり使用後雨水の流れ方を定めるものであり
水平回転装置のフレーム枠体は水平回転装置の構造自体を前記水平上向きに固定されたプロペラーと、前記整流水路槽とを固定するフレーム枠体とからなる前記プロペラーの回転軸に市販の発電機を接続し発電機を回転させる動力源に雨水を活用し、電力を生産する水平回転装置の回転動力源として雨水を集水し活用しようとする装置、雨水集水型戸樋による水平回転装置。
【手続補正書】
【提出日】平成18年10月10日(2006.10.10)
【手続補正１】
【補正対象書類名】実用新案登録請求の範囲
【補正対象項目名】全文
【補正方法】変更
【補正の内容】
【実用新案登録請求の範囲】
【請求項１】
建造物の屋根に降る雨水を集水し集水した雨水を直接活用して電力を生産するために使用される水平回転装置であって、
（１）建造物の屋根に降る雨水を集水し雨水量を多くまとめるために使用される集水戸樋数本と
（２）前記集水戸樋数本によりまとめられた雨水を集合させて通す一本の集中戸樋管と
（３）水平上向きに固定され前記一本の集中戸樋管の排出口から投入される雨水の落下重力によって水平方向に回転させるプロペラーと
（４）前記プロペラーを水平方向に回転させた後の用済みの雨水が飛散もしくは流れ放題とならない様に使用後雨水の流れを整える整流水路槽であって、プロペラーのカバーをも兼ねている整流水路槽と
（５）前記プロペラーと前記整流水路槽とを固定するフレーム枠体とからなり、前記プロペラーの回転軸に電力を生産するための発電機を接続することにより発電機を回転させる、雨水集水型戸樋及び水平回転装置。